Podtech/llm-jp-corpus-v4-ja_patent huggingface dataset:
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
被検眼に対して超音波を入射させるための振動子と、被検眼からの反射波を検出する振動検出センサと、を有する探触子と、
被検眼前眼部を観察するための観察光路中に前記探触子が配置され、前記探触子の周辺領域を介して前眼部像を結像させる前眼部観察光学系と、を備え、
該探触子を用いて被検眼の眼圧を測定することを特徴とする非接触式超音波眼圧計。
【請求項２】
請求項１の非接触式超音波眼圧計において、
前記探触子は、前眼部観察光学系の観察光軸上に配置されていることを特徴とする非接触式超音波眼圧計。
【請求項３】
請求項２の非接触式超音波眼圧計において、
前記探触子は、該探触子の中心軸と前眼部観察光学系の観察光軸とが同軸になるように配置されていることを特徴とする非接触式超音波眼圧計。
【請求項４】
請求項２の非接触式超音波眼圧計において、
前記前眼部観察光学系には、前眼部観察用の撮像素子と、被検眼前眼部像を前記撮像素子上に導光するための対物レンズと、が設けられていることを特徴とする非接触式超音波眼圧計。
【請求項５】
請求項４の非接触式超音波眼圧計において、
前記前眼部観察光学系の対物レンズは、前記探触子より後方もしくは略同一位置に配置されていることを特徴とする非接触式超音波眼圧計。
【請求項６】
請求項４の非接触式超音波眼圧計において、
前記前眼部観察光学系の対物レンズには、前記探触子が挿入される挿入孔が形成されていることを特徴とする非接触式超音波眼圧計。
【請求項７】
請求項４の非接触式超音波眼圧計において、
前記前眼部観察光学系の対物レンズは、前記探触子より前方に配置されており、前記探触子による超音波伝搬経路に対応する部分に開口部が形成されていることを特徴とする非接触式超音波眼圧計。
【請求項８】
請求項２の非接触式超音波眼圧計は、
固視標投影用の固視光源を有し被検眼を固視させるための固視標を被検眼に向けて投影する固視標投影光学系を備え、
前記探触子の中心部には、前記固視光源から発せられた固視標投影用の光束を通過させる開口部、もしくは前記固視光源が設けられていることを特徴とする非接触式超音波眼圧計。
【請求項９】
請求項２の非接触式超音波眼圧計は、
アライメント指標投影用のアライメント光源を有し被検眼前眼部に向けてアライメント指標を投影する指標投影光学系を、備え、
前記観察光学系は、前記アライメント光源による角膜反射像と被検眼前眼部像を前記探触子の周辺領域を介して前記二次元撮像素子上に結像させることを特徴とする非接触式超音波眼圧計。
【請求項１０】
請求項９の非接触式超音波眼圧計において、前記探触子の中心部には、前記アライメント光源から発せられたアライメント用の光束を通過させる開口部が形成されていることを特徴とする非接触式超音波眼圧計。
【手続補正２】
【補正対象書類名】明細書
【補正対象項目名】０００７
【補正方法】変更
【補正の内容】
【０００７】
（１）  被検眼に対して超音波を入射させるための振動子と、被検眼からの反射波を検出する振動検出センサと、を有する探触子と、
被検眼前眼部を観察するための観察光路中に前記探触子が配置され、前記探触子の周辺領域を介して前眼部像を結像させる前眼部観察光学系と、を備え、
該探触子を用いて被検眼の眼圧を測定することを特徴とする。
（２）  （１）の非接触式超音波眼圧計において、
前記探触子は、前眼部観察光学系の観察光軸上に配置されていることを特徴とする。
（３）  （２）の非接触式超音波眼圧計において、
前記探触子は、該探触子の中心軸と前眼部観察光学系の観察光軸とが同軸になるように配置されていることを特徴とする。
（４）  （２）の非接触式超音波眼圧計において、
前記前眼部観察光学系には、前眼部観察用の撮像素子と、被検眼前眼部像を前記撮像素子上に導光するための対物レンズと、が設けられていることを特徴とする。
（５）  （４）の非接触式超音波眼圧計において、
前記前眼部観察光学系の対物レンズは、前記探触子より後方もしくは略同一位置に配置されていることを特徴とする。
（６）  （４）の非接触式超音波眼圧計において、
前記前眼部観察光学系の対物レンズには、前記探触子が挿入される挿入孔が形成されていることを特徴とする。
（７）  （４）の非接触式超音波眼圧計において、
前記前眼部観察光学系の対物レンズは、前記探触子より前方に配置されており、前記探触子による超音波伝搬経路に対応する部分に開口部が形成されていることを特徴とする。
（８）  （２）の非接触式超音波眼圧計は、
固視標投影用の固視光源を有し被検眼を固視させるための固視標を被検眼に向けて投影する固視標投影光学系を備え、
前記探触子の中心部には、前記固視光源から発せられた固視標投影用の光束を通過させる開口部、もしくは前記固視光源が設けられていることを特徴とする。
（９）  （２）の非接触式超音波眼圧計は、
アライメント指標投影用のアライメント光源を有し被検眼前眼部に向けてアライメント指標を投影する指標投影光学系を、備え、
前記観察光学系は、前記アライメント光源による角膜反射像と被検眼前眼部像を前記探触子の周辺領域を介して前記二次元撮像素子上に結像させることを特徴とする。
（１０）  （９）の非接触式超音波眼圧計において、前記探触子の中心部には、前記アライメント光源から発せられたアライメント用の光束を通過させる開口部が形成されていることを特徴とする。
【手続補正書】
【提出日】平成23年2月25日(2011.2.25)
【手続補正１】
【補正対象書類名】明細書
【補正対象項目名】００１９
【補正方法】変更
【補正の内容】
【００１９】
図５（ａ）〜（ｆ）は上記繰出容器のノック機構の説明図、図６（ａ）、（ｂ）は軸本体の斜視図、縦断面図、図７（ａ）、（ｂ）、（ｃ）、（ｄ）はピストンの前方視斜視図、後方視斜視図、側面図、縦断面図、図８（ａ）、（ｂ）、（ｃ）、（ｄ）はネジ体の前方視斜視図、後方視斜視図、側面図、縦断面図、図９（ａ）、（ｂ）、（ｃ）、（ｄ）、（ｅ）は回転体の前方視斜視図、後方視斜視図、側面図、縦断面図、前方視図、図１０（ａ）、（ｂ）、（ｃ）、（ｄ）はノック体の前方視斜視図、後方視斜視図、側面図、縦断面図、図１１は（ａ）、（ｂ）はネジ棒の側面図、Ａ−Ａ線断面図である。
【手続補正２】
【補正対象書類名】明細書
【補正対象項目名】００６０
【補正方法】変更
【補正の内容】
【００６０】
更にノックを続けると回転体３８の第２のカム面３６の頂点がネジ体４４カム面４０の頂点を越え、スプリング４６の力によりネジ体４４カム面４０の斜面４０ｂを滑り回転しながら前方へ移動する。このとき回転体３８はネジ体４４カムと位相がずれた状態でノック体３２カムと噛み合う。この状態でも回転体３８は回転するため内容物の繰出は継続している（図３、図５（ｄ）〜（ｆ）参照）。
【手続補正３】
【補正対象書類名】明細書
【補正対象項目名】００６６
【補正方法】変更
【補正の内容】
【００６６】
【図１】（ａ）、（ｂ）は、本発明の実施形態に係るノック式繰出容器の説明図であり、ノック式繰出容器の全体の断面表示及び機構部の拡大図であって、ノック体の後端部押圧前の状態図である。
【図２】（ａ）、（ｂ）は、図１のノック式繰出容器の全体の断面表示及び機構部の拡大図であって、ノック体の後端部押圧途中時の状態図である。
【図３】（ａ）、（ｂ）は、図１のノック式繰出容器の全体の断面表示及び機構部の拡大図であって、ノック体の後端部押圧限の状態図である。
【図４】（ａ）、（ｂ）は、図１のノック式繰出容器の全体の断面表示及び機構部の拡大図であって、ノック体の後端部押圧解除時の状態図である。
【図５】（ａ）〜（ｆ）は上記繰出容器のノック機構の説明図であり、（ａ）はノック前原位置状態、（ｂ）はノック体前進・回転体当接時、（ｃ）はノック体押圧による回転体回転時、（ｄ）はノック体押圧により回転体頂点乗り越え時、（ｅ）は回転体停止時、（ｆ）はノック解除時の各状態の説明図である。
【図６】（ａ）、（ｂ）は軸本体の斜視図、縦断面図である。
【図７】（ａ）、（ｂ）、（ｃ）、（ｄ）はピストンの前方視斜視図、後方視斜視図、側面図、縦断面図である。
【図８】（ａ）、（ｂ）、（ｃ）、（ｄ）はネジ体の前方視斜視図、後方視斜視図、側面図、縦断面図である。
【図９】（ａ）、（ｂ）、（ｃ）、（ｄ）、（ｅ）は回転体の前方視斜視図、後方視斜視図、側面図、縦断面図、前方視図である。
【図１０】（ａ）、（ｂ）、（ｃ）、（ｄ）はノック体の前方視斜視図、後方視斜視図、側面図、縦断面図である。
【図１１】（ａ）、（ｂ）はネジ棒の側面図、Ａ−Ａ線断面図である。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
被検眼に対して超音波を入射させるための振動子と、被検眼からの反射波を検出する振動検出センサと、を有する探触子を備え、該探触子を用いて被検眼の眼圧を測定する非接触式超音波眼圧計において、
前記振動子から出射される入射波を被検眼に向けて反射すると共に、前記入射波による被検眼からの反射波を前記振動検出センサに向けて反射する超音波反射部材と、
被検眼の前眼部を観察する前眼部観察光学系であって、観察光路外に前記探触子が配置され、かつ、前記超音波反射部材と被検眼との間の超音波伝搬経路上に観察光軸が形成されるように設けられた前眼部観察光学系と、
を備えることを特徴とする非接触式超音波眼圧計。
【請求項２】
請求項１の非接触式超音波眼圧計において、
眼圧とは異なる被検眼の眼特性を測定する眼特性測定光学系を有し、
該眼特性測定光学系は、測定光路外に前記探触子が配置され、かつ、前記超音波反射部材と被検眼との間の超音波伝搬経路上に測定光軸が形成されるように設けられていることを特徴とする非接触式超音波眼圧計。
【請求項３】
請求項２の非接触式超音波眼圧計において、
前記超音波反射部材は、超音波を反射すると共に光を透過する特性を有することを特徴とする非接触式超音波眼圧計。
【手続補正２】
【補正対象書類名】明細書
【補正対象項目名】０００７
【補正方法】変更
【補正の内容】
【０００７】
（１）  被検眼に対して超音波を入射させるための振動子と、被検眼からの反射波を検出する振動検出センサと、を有する探触子を備え、該探触子を用いて被検眼の眼圧を測定する非接触式超音波眼圧計において、
前記振動子から出射される入射波を被検眼に向けて反射すると共に、前記入射波による被検眼からの反射波を前記振動検出センサに向けて反射する超音波反射部材と、
被検眼の前眼部を観察する前眼部観察光学系であって、観察光路外に前記探触子が配置され、かつ、前記超音波反射部材と被検眼との間の超音波伝搬経路上に観察光軸が形成されるように設けられた前眼部観察光学系と、
を備えることを特徴とする。
（２）  （１）の非接触式超音波眼圧計において、
眼圧とは異なる被検眼の眼特性を測定する眼特性測定光学系を有し、
該眼特性測定光学系は、測定光路外に前記探触子が配置され、かつ、前記超音波反射部材と被検眼との間の超音波伝搬経路上に測定光軸が形成されるように設けられていることを特徴とする。
（３）  （２）の非接触式超音波眼圧計において、
前記超音波反射部材は、超音波を反射すると共に光を透過する特性を有することを特徴とする。
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
被酸化性金属の酸化反応による発熱を利用した水蒸気発生部を有し、皮膚に水蒸気を付与する蒸気温熱具と、該蒸気温熱具を着用者の脚部又は腕部に固定可能な装着具とを備えた筋肉増強具であって、
前記装着具は、幅方向と、該幅方向と直交しかつ該幅方向よりも長さの大きい長手方向とを有する略矩形状のものであり、該長手方向を巻き付け方向として脚部又は腕部に巻き付け固定して使用され、
前記装着具は、前記幅方向に沿って複数個の前記蒸気温熱具が固定可能な構造を有している筋肉増強具。
【請求項２】
前記装着具が、前記蒸気温熱具を、着用者の肌に対向する肌側シートと、該肌側シートよりも外側に位置する外側シートとの間に配置固定する構造を有しており、
前記肌側シート及び前記外側シートがいずれも伸縮性を有するとともに、前記肌側シートの伸縮性よりも前記外側シートの伸縮性の方が高くなっている請求項１記載の筋肉増強具。
【請求項３】
前記装着具が、前記長手方向に沿う一方の端部域の一方の面に止着部を有し、また前記長手方向に沿う他方の端部に、前記幅方向に沿って設けられた複数の舌片部を有し、
各舌片部は、前記止着部が設けられた面と反対の面側における先端部に、前記止着部への止着が可能な被着部を有し、
各舌片部は、前記装着具の長手方向における張り出し長さが、前記装着具の幅方向に沿って漸減している請求項１又は２に記載の筋肉増強具。
【請求項４】
長手方向の一端に開口部を有し、かつ前記肌側シートと前記外側シートによって画定されるポケット状の収容空間が、幅方向に沿って複数個形成されており、
前記各舌片部が、前記開口部が形成されている側の側縁部から長手方向に沿って張り出している請求項３に記載の筋肉増強具。
【請求項５】
前記装着具における前記止着部が設けられている面に、高摩擦素材からなるずれ落ち防止部が設けられており、
前記ずれ落ち防止部は、前記装着具における幅方向に沿う一方の側縁部寄りの位置であって、かつ前記装着具における長手方向のほぼ中心部の位置を含む部位に配置されている請求項１ないし４のいずれかに記載の筋肉増強具。
【請求項６】
被酸化性金属の酸化反応による発熱を利用した水蒸気発生部を有し、皮膚に水蒸気を付与する蒸気温熱具を、着用者の脚部又は腕部に固定するために用いられる装着具であって、
前記装着具は、幅方向と、該幅方向と直交しかつ該幅方向よりも長さの大きい長手方向とを有する矩形状のものであり、該長手方向を巻き付け方向として脚部又は腕部に巻き付け固定して使用され、
前記装着具は、前記幅方向に沿って複数個の前記蒸気温熱具が固定される構造を有している装着具。
【請求項７】
被酸化性金属の酸化反応による発熱を利用した水蒸気発生部を有し、皮膚に水蒸気を付与する蒸気温熱具と、該蒸気温熱具を着用者の脚部又は腕部に固定可能な装着具とを備えた筋肉増強具の装着方法であって、
前記装着具は、幅方向と、該幅方向と直交しかつ該幅方向よりも長さの大きい長手方向とを有する略矩形状のものであり、かつ該幅方向に沿って複数個の前記蒸気温熱具が固定されており、
該長手方向を巻き付け方向として該筋肉増強具を脚部又は腕部に巻き付け固定する筋肉増強具の装着方法。
【請求項８】
被酸化性金属の酸化反応による発熱を利用した水蒸気発生部を有し、皮膚に水蒸気を付与する蒸気温熱具から生じる水蒸気によって脚部又は腕部を加温して筋肉を増強させることによる筋肉増強効果の評価方法であって、
対象となる脚部又は腕部の筋量又は筋力を測定する第１の工程、
前記蒸気温熱具と、幅方向と、該幅方向と直交しかつ該幅方向よりも長さの大きい長手方向とを有する略矩形状の装着具とを備えた筋肉増強具を、該長手方向を巻き付け方向として対象となる前記脚部又は前記腕部に巻き付け固定し、所定時間加温する操作を所定期間繰り返す第２の工程、
前記所定期間後に、対象となる前記脚部又は前記腕部の筋量又は筋力を測定する第３の工程、及び
第１の工程における測定値と第３の工程における測定値との比較から筋肉増強の有無又は程度を判定する第４の工程
を含む筋肉増強効果の評価方法。
【請求項９】
前記筋肉増強具を１回１時間以上着用し、この着用を１週間以上継続する請求項８記載の筋肉増強効果の評価方法。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
検査視標を表示するディスプレイを持ち、被検者から所定の検査距離に設置される装置本体を備える視標呈示装置において、
多数の検査視標を記憶する記憶手段と、
前記装置本体と被検者との検査距離を入力する検査距離入力手段と、
検査視標を選択するための複数の視標選択スイッチを持つコントローラであって、入力された検査距離に応じて表示サイズを変えるように設定された検査視標を選択するための第１視標選択スイッチと、入力された検査距離に拘わらずに予め設定された表示サイズの検査視標を選択するための第２視標選択スイッチと、を有するコントローラと、
前記第１視標選択スイッチの選択信号が入力されたときには選択された検査視標を前記記憶手段から呼び出し、前記検査距離入力手段で入力された検査距離に基づいて検査距離に応じた表示サイズで前記ディスプレイに表示させ、前記第２視標選択スイッチの選択信号が入力されたときには選択された検査視標を前記記憶手段から呼び出し、予め設定された表示サイズで前記ディスプレイに表示させる表示制御手段と、
を備えることを特徴とする視標呈示装置。
【請求項２】
請求項１の視標呈示装置は、前記第２視標選択スイッチにより選択される検査視標の表示サイズを設定するための設定画面を前記ディスプレイに表示させ、該設定画面にて検査視標の表示サイズの設定情報を入力する操作スイッチを有する視標サイズ設定手段を備え、
前記表示制御手段は、前記第２視標選択スイッチの選択信号が入力されたときには前記視標サイズ設定手段によって設定された表示サイズで前記ディスプレイに表示させることを特徴とする視標呈示装置。
【請求項３】
請求項１の視標呈示装置において、前記第２視標選択スイッチに対応させる検査視標を割り当てる情報を入力するための設定画面を前記ディスプレイに表示させ、該設定画面にて前記記憶手段に記憶された検査視標の中から前記第２視標選択スイッチに割り当てる情報を入力するための操作スイッチを持つスイッチ設定手段を備え、
前記表示制御手段は、前記第２視標選択スイッチの選択信号が入力されたときには前記スイッチ設定手段により設定された前記第２視標選択スイッチの割り当て情報に基づいて前記記憶手段に記憶された検査視標を呼び出し、予め設定された表示サイズで前記ディスプレイに表示させることを特徴とする視標呈示装置。
【手続補正２】
【補正対象書類名】明細書
【補正対象項目名】０００６
【補正方法】変更
【補正の内容】
【０００６】
（１）  検査視標を表示するディスプレイを持ち、被検者から所定の検査距離に設置される装置本体を備える視標呈示装置において、
多数の検査視標を記憶する記憶手段と、
前記装置本体と被検者との検査距離を入力する検査距離入力手段と、
検査視標を選択するための複数の視標選択スイッチを持つコントローラであって、入力された検査距離に応じて表示サイズを変えるように設定された検査視標を選択するための第１視標選択スイッチと、入力された検査距離に拘わらずに予め設定された表示サイズの検査視標を選択するための第２視標選択スイッチと、を有するコントローラと、
前記第１視標選択スイッチの選択信号が入力されたときには選択された検査視標を前記記憶手段から呼び出し、前記検査距離入力手段で入力された検査距離に基づいて検査距離に応じた表示サイズで前記ディスプレイに表示させ、前記第２視標選択スイッチの選択信号が入力されたときには選択された検査視標を前記記憶手段から呼び出し、予め設定された表示サイズで前記ディスプレイに表示させる表示制御手段と、
を備えることを特徴とする。
（２）  （１）の視標呈示装置は、前記第２視標選択スイッチにより選択される検査視標の表示サイズを設定するための設定画面を前記ディスプレイに表示させ、該設定画面にて検査視標の表示サイズの設定情報を入力する操作スイッチを有する視標サイズ設定手段を備え、
前記表示制御手段は、前記第２視標選択スイッチの選択信号が入力されたときには前記視標サイズ設定手段によって設定された表示サイズで前記ディスプレイに表示させることを特徴とする。
（３）  （１）の視標呈示装置において、前記第２視標選択スイッチに対応させる検査視標を割り当てる情報を入力するための設定画面を前記ディスプレイに表示させ、該設定画面にて前記記憶手段に記憶された検査視標の中から前記第２視標選択スイッチに割り当てる情報を入力するための操作スイッチを持つスイッチ設定手段を備え、
前記表示制御手段は、前記第２視標選択スイッチの選択信号が入力されたときには前記スイッチ設定手段により設定された前記第２視標選択スイッチの割り当て情報に基づいて前記記憶手段に記憶された検査視標を呼び出し、予め設定された表示サイズで前記ディスプレイに表示させることを特徴とする。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段により当該ゲームにおける図柄の回転表示を開始させるスタート操作手段と、
前記スタート操作手段の操作に基づいて当選役についての抽選を行う役抽選手段と、
前記役抽選手段による抽選の結果に基づいて前記回転表示の停止にかかる制御を行う回転停止制御手段と、
前記回転表示が停止されたときの前記図柄の表示態様に基づいて、遊技者に特典が付与される所定条件が成立したか否かを判断する抽選判断手段と、
前記抽選判断手段により前記所定条件が成立した旨判断されたとき、遊技者に特典が付与されるボーナスゲームを実行する特典付与手段と、
所定の表示面にて演出表示を行う演出表示制御手段と、
を備え、
前記回転停止制御手段は、
前記役抽選手段により前記当選役のうちの特別役に当選したときにのみ当該当選を契機に前記所定条件が成立する図柄の表示態様にて前記回転表示を停止可能とする特別停止制御手段を有し、
前記当選役には、前記特別役とともに他の当選役も前記抽選にて同時に選び出される重複特別役が少なくとも含まれており、
前記演出表示制御手段は、
前記役抽選手段による抽選にて前記重複特別役が当選されたことを契機に、前記所定条件が成立する図柄の表示態様にて前記回転表示が停止可能となったことを遊技者に確信させる確定表示を行う旨決定される内部決定処理と、
前記重複特別役が当選されてから次回ゲームにおける前記図柄の回転表示が開始されるまでの間に、前記所定の表示面のうちの前記確定表示が行われる領域に対しての遊技者による確認行為があったことを契機に、前記確定表示を行う旨決定される回答的決定処理と、
を実行可能であり、それら決定処理の少なくとも一方にて前記確定表示を行う旨決定されたことに基づいて前記確定表示を行う完告内外制御手段、および
前記遊技者による確認行為に基づいて前記所定条件が成立する図柄の表示態様にて前記回転表示が停止可能となったかのように、前記完告内外制御手段による前記内部決定処理の実行を先送りして前記内部決定処理と前記回答的決定処理とのうちの前記回答的決定処理によってのみ前記確定表示を行う旨決定可能とされる期間を創出する回答優遇制御手段
を有する
ことを特徴とする遊技機。
【請求項２】
前記回答優遇制御手段は、
前記役抽選手段により前記重複特別役が当選されてから所定の期間が経過するタイミングまで前記完告内外制御手段による前記内部決定処理の実行を先送りする
請求項１に記載の遊技機。
【請求項３】
前記回答優遇制御手段は、
前記役抽選手段により前記重複特別役が当選されたことを契機に、前記内部決定処理の実行を先送りするか否かについての判断処理を行うとともに、当該判断処理にて前記内部決定処理の実行を先送りする旨判断されたとき、前記完告内外制御手段による前記内部決定処理の実行を先送りする
請求項１または請求項２に記載の遊技機。
【手続補正２】
【補正対象書類名】明細書
【補正対象項目名】００１０
【補正方法】変更
【補正の内容】
【００１０】
上記課題を解決するための本発明に係る遊技機は、複数の図柄が回転表示される図柄表示手段と、前記図柄表示手段により当該ゲームにおける図柄の回転表示を開始させるスタート操作手段と、前記スタート操作手段の操作に基づいて当選役についての抽選を行う役抽選手段と、前記役抽選手段による抽選の結果に基づいて前記回転表示の停止にかかる制御を行う回転停止制御手段と、前記回転表示が停止されたときの前記図柄の表示態様に基づいて、遊技者に特典が付与される所定条件が成立したか否かを判断する抽選判断手段と、前記抽選判断手段により前記所定条件が成立した旨判断されたとき、遊技者に特典が付与されるボーナスゲームを実行する特典付与手段と、所定の表示面にて演出表示を行う演出表示制御手段と、を備え、前記回転停止制御手段は、前記役抽選手段により前記当選役のうちの特別役に当選したときにのみ当該当選を契機に前記所定条件が成立する図柄の表示態様にて前記回転表示を停止可能とする特別停止制御手段を有し、前記当選役には、前記特別役とともに他の当選役も前記抽選にて同時に選び出される重複特別役が少なくとも含まれており、前記演出表示制御手段は、前記役抽選手段による抽選にて前記重複特別役が当選されたことを契機に、前記所定条件が成立する図柄の表示態様にて前記回転表示が停止可能となったことを遊技者に確信させる確定表示を行う旨決定される内部決定処理と、前記重複特別役が当選されてから次回ゲームにおける前記図柄の回転表示が開始されるまでの間に、前記所定の表示面のうちの前記確定表示が行われる領域に対しての遊技者による確認行為があったことを契機に、前記確定表示を行う旨決定される回答的決定処理と、を実行可能であり、それら決定処理の少なくとも一方にて前記確定表示を行う旨決定されたことに基づいて前記確定表示を行う完告内外制御手段、および前記遊技者による確認行為に基づいて前記所定条件が成立する図柄の表示態様にて前記回転表示が停止可能となったかのように、前記完告内外制御手段による前記内部決定処理の実行を先送りして前記内部決定処理と前記回答的決定処理とのうちの前記回答的決定処理によってのみ前記確定表示を行う旨決定可能とされる期間を創出する回答優遇制御手段を有することを要旨とするものである。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段における図柄の回転表示を開始させるスタート操作手段と、
前記スタート操作手段の操作に基づいて当選役についての抽選を行う役抽選手段と、
前記役抽選手段による抽選の結果に基づいて前記回転表示の停止にかかる制御を行う回転停止制御手段と、
前記回転表示が停止されたときの前記図柄の表示態様に基づいて、遊技者に特典が付与される所定条件が成立したか否かを判断する抽選判断手段と、
前記抽選判断手段により前記所定条件が成立した旨判断されたとき、遊技者に特典が付与されるボーナスゲームを実行する特典付与手段と、
所定の表示面にて演出表示を行う演出表示制御手段と、
を備え、
前記回転停止制御手段は、
前記役抽選手段により前記当選役のうちの特別役に当選したときにのみ当該当選を契機に前記所定条件が成立する特別の図柄表示態様にて前記回転表示を停止可能とする特別停止制御手段を有し、
前記演出表示制御手段は、
前記所定の表示面のうちの特定領域に対しての遊技者による支援行為があった以降の所定期間内に、前記役抽選手段による抽選にて前記特別役に当選した場合には、
前記特別の図柄表示態様にて前記回転表示が停止可能となったことを遊技者に確信させる確定表示を、前記遊技者による支援行為が当該確定表示の契機であるかのように、前記スタート操作手段の操作が行われたタイミングで実行可能な謝意的表示制御手段を有する
ことを特徴とする遊技機。
【請求項２】
複数の図柄が回転表示される図柄表示手段と、
前記図柄表示手段により当該ゲームにおける図柄の回転表示を開始させるスタート操作手段と、
前記スタート操作手段の操作に基づいて当選役についての抽選を行う役抽選手段と、
前記役抽選手段による抽選の結果に基づいて前記回転表示の停止にかかる制御を行う回転停止制御手段と、
前記回転表示が停止されたときの前記図柄の表示態様に基づいて、遊技者に特典が付与される所定条件が成立したか否かを判断する抽選判断手段と、
前記抽選判断手段により前記所定条件が成立した旨判断されたとき、遊技者に特典が付与されるボーナスゲームを実行する特典付与手段と、
所定の表示面にて演出表示を行う演出表示制御手段と、
を備え、
前記回転停止制御手段は、
前記役抽選手段により前記当選役のうちの特別役に当選したときにのみ当該当選を契機に前記所定条件が成立する特別の図柄表示態様にて前記回転表示を停止可能とする特別停止制御手段を有し、
前記当選役には、前記抽選にて前記特別役のみが選び出される単独特別役、および、前記抽選にて前記特別役と併せて他の当選役も同時に選び出される重複特別役、が少なくとも含まれており、
前記演出表示制御手段は、
前記特定領域に対しての遊技者による支援行為があった以降の所定期間内に、前記役抽選手段による抽選にて前記特別役のうち前記単独特別役に当選した場合には、前記支援行為が前記確定表示の契機であると遊技者に認識させるべく、当該単独特別役に当選したゲームにかかる前記スタート操作手段の操作が行われたタイミングで前記特定領域にて前記確定表示を実行可能な謝意的表示制御手段を有する
ことを特徴とする遊技機。
【請求項３】
前記謝意的表示制御手段は、
前記重複特別役が当選されてから次回ゲームにかかる前記スタート操作手段の操作が開始されるまでの間に、前記特定領域に対しての遊技者による前記支援行為があった場合には、当該支援行為が前記確定表示の契機であると遊技者に認識させるべく、当該支援行為が行われたタイミングで前記特定領域にて前記確定表示を実行しうる
ことを特徴とする請求項２に記載の遊技機。
【手続補正２】
【補正対象書類名】明細書
【補正対象項目名】００１０
【補正方法】変更
【補正の内容】
【００１０】
上記課題を解決するための本発明に係る遊技機は、複数の図柄が回転表示される図柄表示手段と、前記図柄表示手段における図柄の回転表示を開始させるスタート操作手段と、前記スタート操作手段の操作に基づいて当選役についての抽選を行う役抽選手段と、前記役抽選手段による抽選の結果に基づいて前記回転表示の停止にかかる制御を行う回転停止制御手段と、前記回転表示が停止されたときの前記図柄の表示態様に基づいて、遊技者に特典が付与される所定条件が成立したか否かを判断する抽選判断手段と、前記抽選判断手段により前記所定条件が成立した旨判断されたとき、遊技者に特典が付与されるボーナスゲームを実行する特典付与手段と、所定の表示面にて演出表示を行う演出表示制御手段と、を備え、前記回転停止制御手段は、前記役抽選手段により前記当選役のうちの特別役に当選したときにのみ当該当選を契機に前記所定条件が成立する特別の図柄表示態様にて前記回転表示を停止可能とする特別停止制御手段を有し、前記演出表示制御手段は、前記所定の表示面のうちの特定領域に対しての遊技者による支援行為があった以降の所定期間内に、前記役抽選手段による抽選にて前記特別役に当選した場合には、前記特別の図柄表示態様にて前記回転表示が停止可能となったことを遊技者に確信させる確定表示を、前記遊技者による支援行為が当該確定表示の契機であるかのように、前記スタート操作手段の操作が行われたタイミングで実行可能な謝意的表示制御手段を有することを要旨とするものである。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
複数の図柄が回転表示される回転表示ゲームが行われる図柄表示手段と、
前記図柄表示手段における図柄の回転表示ゲームを開始させるスタート操作手段と、
前記スタート操作手段の操作に基づいて当選役についての抽選を行う役抽選手段と、
前記役抽選手段による抽選の結果に基づいて前記回転表示の停止にかかる制御を行う回転停止制御手段と、
前記回転表示が停止されたときの前記図柄の表示態様に基づいて、前記回転表示ゲームの実行数が所定回数に達したことを契機として秘密裏に状態終了されうる有限遊技状態に制御可能な状態制御手段と、
所定の表示面にて演出表示を行う演出表示制御手段と、を備え、
前記演出表示制御手段は、
前記有限遊技状態が秘密裏に状態終了されて以降の所定期間にあるとき、前記所定の表示面のうちの特定領域に対しての遊技者からの接触による確認行為があったことを契機に、前記有限遊技状態が状態終了された旨を遊技者が把握可能な状態告知表示を行う旨決定可能な回答的決定処理を実行する決定処理実行手段、及び
前記決定処理実行手段による前記回答的決定処理にて前記状態告知表示を行う旨決定されたことに基づいて前記状態告知表示を実行する回答的表示実行手段
を有しており、
前記決定処理実行手段は、
前記確認行為が行われるとき、前記状態告知表示が行われる領域に対しての前記遊技者による接触の強さを判断する接触強度判断手段を有し、該接触強度判断手段により判断される前記遊技者による接触の強さに基づいて、前記回答的決定処理の実行にかかる制御態様を変化させる
ことを特徴とする遊技機。
【請求項２】
前記演出表示制御手段は、液晶表示装置の表示面にて演出表示を行う
請求項１に記載の遊技機。
【請求項３】
前記演出表示制御手段は、キャラクタ画像による演出表示を行う
請求項２に記載の遊技機。
【手続補正２】
【補正対象書類名】明細書
【補正対象項目名】０００９
【補正方法】変更
【補正の内容】
【０００９】
こうした目的を達成するため、請求項１に記載の発明では、複数の図柄が回転表示される回転表示ゲームが行われる図柄表示手段と、前記図柄表示手段における図柄の回転表示ゲームを開始させるスタート操作手段と、前記スタート操作手段の操作に基づいて当選役についての抽選を行う役抽選手段と、前記役抽選手段による抽選の結果に基づいて前記回転表示の停止にかかる制御を行う回転停止制御手段と、前記回転表示が停止されたときの前記図柄の表示態様に基づいて、前記回転表示ゲームの実行数が所定回数に達したことを契機として秘密裏に状態終了されうる有限遊技状態に制御可能な状態制御手段と、所定の表示面にて演出表示を行う演出表示制御手段と、を備え、前記演出表示制御手段は、前記有限遊技状態が秘密裏に状態終了されて以降の所定期間にあるとき、前記所定の表示面のうちの特定領域に対しての遊技者からの接触による確認行為があったことを契機に、前記有限遊技状態が状態終了された旨を遊技者が把握可能な状態告知表示を行う旨決定可能な回答的決定処理を実行する決定処理実行手段、及び前記決定処理実行手段による前記回答的決定処理にて前記状態告知表示を行う旨決定されたことに基づいて前記状態告知表示を実行する回答的表示実行手段を有しており、前記決定処理実行手段は、前記確認行為が行われるとき、前記状態告知表示が行われる領域に対しての前記遊技者による接触の強さを判断する接触強度判断手段を有し、該接触強度判断手段により判断される前記遊技者による接触の強さに基づいて、前記回答的決定処理の実行にかかる制御態様を変化させることを要旨とする。
【手続補正書】
【提出日】平成23年4月5日(2011.4.5)
【手続補正１】
【補正対象書類名】特許請求の範囲
【補正対象項目名】請求項６
【補正方法】変更
【補正の内容】
【請求項６】
前記散在物除去装置は、前記畦塗り機の進行方向と直交する方向に位置調整可能であることを特徴とする請求項１乃至５のいずれかに記載の散在物除去装置。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
アンテナ電極と接地導体面との間に環状のスロット伝送線路を有するスロット・アンテナを送信機側及び受信機側の双方で備え、当該送信アンテナ及び受信アンテナを近接対向して配置して、当該送信アンテナ及び受信アンテナのスロット伝送線路間で生じる近傍界の電磁結合を利用してデータ伝送を行なう、
ことを特徴とする通信システム。
【請求項２】
送信アンテナのスロット伝送線路に沿って進行するＴＥ10波の近傍電界成分又は近傍磁界成分を受信アンテナのスロット伝送線路に結合させて、データ伝送を行なう、
ことを特徴とする請求項１に記載の通信システム。
【請求項３】
前記接地導体面に囲まれる前記アンテナ電極の形状が、円形、若しくは正８角形や正６角形などの正多角形である、
ことを特徴とする請求項１に記載の通信システム。
【請求項４】
前記スロット・アンテナは誘電体基板の一方の面に形成され、前記環状のスロット伝送線路の中央を挟むように２つの給電点が配設される、
ことを特徴とする請求項１に記載の通信システム。
【請求項５】
前記スロット伝送線路は、一方の給電点にてスルーホールを介して前記誘電体基板の他方の面に通じて当該他方の面上に実装された送信若しくは受信回路チップに繋がるマイクロストリップ線路に接続され、他方の給電点にてスルーホールを介して前記誘電体基板の他方の面で終端される、
ことを特徴とする請求項４に記載の通信システム。
【請求項６】
前記スルーホールを介した前記スロット伝送線路と前記マイクロストリップ伝送線路の接続のインピーダンス不整合を小さくする、
ことを特徴とする請求項５に記載の通信システム。
【請求項７】
前記２つの給電点の間を並列接続された２本のスロット伝送線路の特性インピーダンスとマイクロストリップ伝送線路の特性インピーダンスをおおよそ２：１と設定する、
ことを特徴とする請求項６に記載の通信システム。
【請求項８】
前記スロット伝送線路の特性インピーダンスを、使用周波数帯域の中心周波数付近において整合させる、
ことを特徴とする請求項７に記載の通信システム。
【請求項９】
前記送信機側では、前記送信回路は、前記給電点の一方に対して、送信信号として高速なデジタル・ベースバンド信号を直接に給電する、
ことを特徴とする請求項８に記載の通信システム。
【請求項１０】
前記受信機側では、前記受信回路は、前記受信アンテナのスロット伝送路上で、前記送信アンテナのスロット伝送線路に入力される進行波の進む方向とは逆方向に流れる受信信号を取り出す、
ことを特徴とする請求項９に記載の通信システム。
【請求項１１】
前記スロット・アンテナは、３層又は４層基板を用いて構成される、
ことを特徴とする請求項４に記載の通信システム。
【請求項１２】
第２層又は第３層の内層パターンは、接地導体面とし、前記アンテナ電極と前記マイクロストリップ伝送線路と重なる部分が大きく切り抜きかれている、
ことを特徴とする請求項１１に記載の通信システム。
【請求項１３】
第２層又は第３層の内層パターンは、接地導体面とし、前記アンテナ電極と重なる部分に前記アンテナ電極よりも十分に大きな開口が形設されている、
ことを特徴とする請求項１１に記載の通信システム。
【請求項１４】
前記送信機側のスロット・アンテナは、前記アンテナ電極が前記２つの給電点を結ぶ線を直交する線にほぼ沿って２つに分割され、且つ、分割した間隙の両端部分の２箇所において各アンテナ電極は終端され、差動伝送信号が前記２つの給電点にそれぞれ供給され、
前記受信機側では、前記アンテナ電極に配設された前記２つの給電点から差動信号が取り出される、
ことを特徴とする請求項４に記載の通信システム。
【請求項１５】
請求項１に記載の通信システムにおいて送信機又は受信機において使用されるアンテナ装置であって、
一方の面に導体層を持つ誘電体基板と、
前記一方の面上に形成された、ほぼ中央のアンテナ電極と、前記アンテナ電極の周囲の接地導体面と、前記アンテナ電極と前記接地導体面との間隙からなるスロット伝送線路で構成されるスロット・アンテナと、
を具備することを特徴とするアンテナ装置。
【請求項１６】
前記接地導体面に囲まれる前記アンテナ電極の形状が、円形、若しくは正８角形や正６角形などの正多角形である、
ことを特徴とする請求項１５に記載のアンテナ装置。
【請求項１７】
前記環状のスロット伝送線路の中央を挟むように２つの給電点が配設される、
ことを特徴とする請求項１５に記載のアンテナ装置。
【請求項１８】
前記スロット伝送線路は、前記の各給電点においてスルーホールを介して前記誘電体基板の他方の面に通じ、当該他方の面上に実装された送信若しくは受信回路チップに繋がるマイクロストリップ線路に接続されている、
ことを特徴とする請求項１７に記載のアンテナ装置。
【請求項１９】
前記スルーホールを介した前記スロット伝送線路と前記マイクロストリップ伝送線路の接続のインピーダンス不整合が小さく設定される、
ことを特徴とする請求項１８に記載のアンテナ装置。
【請求項２０】
前記２つの給電点の間を並列接続された２本のスロット伝送線路の特性インピーダンスとマイクロストリップ伝送線路の特性インピーダンスをおおよそ２：１と設定する、
ことを特徴とする請求項１９に記載のアンテナ装置。
【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
多角柱構造のローターヨークの側面に形成された複数の磁石固定部に、前記ローターヨークの軸方向に延びたセグメント磁石をそれぞれ固定して備えると共に、前記ローターヨークのうち隣り合った前記磁石固定部同士の境界部分から側方に突出して、各セグメント磁石を幅方向で挟む境界突部を備えたモーターのローターにおいて、
前記境界突部は、前記磁石固定部同士の境界部分毎、前記ローターヨークの軸方向に対をなして設けられると共に、前記境界突部の両側面は、互いに隣り合った前記磁石固定部から立ち上がり、
前記セグメント磁石の両側面と前記境界突部の両側面との間に所定のクリアランスを設けたことを特徴とするモーターのローター。
【請求項２】
前記ローターヨークの軸方向で対をなした前記境界突部を前記セグメント磁石の軸方向の両端面よりも、前記ローターヨークの軸方向の中央側に配置したことを特徴とする請求項１に記載のモーターのローター。
【請求項３】
前記磁石固定部には、前記ローターヨークの軸方向の中間部分を両端部に対して凹ませて接着剤を受容した接着剤用凹所が形成され、
前記境界突部は、隣り合った前記磁石固定部の前記接着剤用凹所に挟まれた位置に配置されたことを特徴とする請求項２に記載のモーターのローター。
【請求項４】
前記ローターヨークの外側に嵌合して、前記複数のセグメント磁石を覆った円筒カバーを備えたことを特徴とする請求項１乃至３の何れかに記載のモーターのローター。
【請求項５】
請求項１乃至４の何れかに記載のローターを有するモーターを、車両におけるハンドルの操舵力を補助するための動力源として備えたことを特徴とする電動パワーステアリング装置。
【手続補正２】
【補正対象書類名】明細書
【補正対象項目名】０００５
【補正方法】変更
【補正の内容】
【０００５】
上記目的を達成するためになされた請求項１の発明に係るモーター（１０）のローター（２０）は、多角柱構造のローターヨーク（２２）の側面に形成された複数の磁石固定部（２３Ａ）に、ローターヨーク（２２）の軸方向に延びたセグメント磁石（３０）をそれぞれ固定して備えると共に、ローターヨーク（２２）のうち隣り合った磁石固定部（２３Ａ）同士の境界部分から側方に突出して、各セグメント磁石（３０）を幅方向で挟む境界突部（２４）を備えたモーター（１０）のローター（２０）において、境界突部（２４）は、磁石固定部（２３Ａ）同士の境界部分毎、ローターヨーク（２２）の軸方向に対をなして設けられると共に、境界突部（２４）の両側面（２４Ｓ，２４Ｓ）は、互いに隣り合った磁石固定部（２３Ａ）から立ち上がり、セグメント磁石（３０）の両側面（３４，３４）と境界突部（２４）の両側面（２４Ｓ，２４Ｓ）との間に所定のクリアランスを設けたところに特徴を有する。
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
ＤＣ電源の出力側に一端が接続され他端を前記ＤＣ電源の出力端に接続した第１スイッチと、
前記第１スイッチの動作を制御する第２スイッチと、
前記第２スイッチの状態を検知する検知信号が入力される入力端子と前記第１スイッチをオン状態にするオン信号を出力する出力端子とを有する制御部と、を備え、
前記制御部は、前記第２スイッチをオンすることにより前記第１スイッチがオンして前記ＤＣ電源の出力端から電圧が出力された場合に、前記出力端子からオン信号を出力して前記第１スイッチをオン状態にし、前記入力端子への検知信号により前記第２スイッチがオフされたこと検知した場合に、オフの検知から所定時間、前記第２スイッチをオンしないように制御するとともに、前記出力端子からオン信号を出力しないようにすることを特徴とするＤＣ電源装置。
【請求項２】
請求項１に記載のＤＣ電源装置において、
前記所定期間は、第一の抵抗と、第一のコンデンサを並列に接続し、前記第一のコンデンサの充電電圧を前記第一の抵抗により放電する放電時間であることを特徴とするＤＣ電源装置。
【請求項３】
請求項２に記載のＤＣ電源装置において、
前記第２スイッチ側にエミッタを接続しＧＮＤ側にコレクタを接続したＰＮＰトランジスタを有し、前記ＰＮＰトランジスタのベースと前記ＧＮＤ間に、前記第一の抵抗と前記第一のコンデンサを並列接続したことを特徴とするＤＣ電源装置。
【請求項４】
請求項１に記載のＤＣ電源装置において、
前記所定期間は、第二の抵抗と第二のコンデンサを直列に接続し、前記第二のコンデンサに前記第二の抵抗を介して充電する充電時間であることを特徴とするＤＣ電源装置。
【請求項５】
請求項４に記載のＤＣ電源装置において、
前記第２スイッチ側にコレクタを接続しＧＮＤ側にエミッタを接続したＮＰＮトランジスタを有し、前記ＮＰＮトランジスタのベースと前記ＧＮＤ間に、前記第二のコンデンサを接続したことを特徴とするＤＣ電源装置。
【請求項６】
請求項１ないし５のいずれか１項に記載のＤＣ電源装置において、
前記第１スイッチは、ＭＯＳＦＥＴまたはＰＮＰトランジスタであることを特徴とするＤＣ電源装置。
【請求項７】
請求項６に記載のＤＣ電源装置において、
前記第２スイッチは、少なくとも２回路連動のスイッチ回路から構成され、前記スイッチ回路のうち一方のスイッチ回路は、前記第１スイッチの動作を制御するために使用され、他方のスイッチ回路は、前記第２スイッチの状態を検知するために使用されることを特徴とするＤＣ電源装置。
【手続補正２】
【補正対象書類名】明細書
【補正対象項目名】発明の名称
【補正方法】変更
【補正の内容】
【発明の名称】ＤＣ電源装置
【手続補正３】
【補正対象書類名】明細書
【補正対象項目名】０００１
【補正方法】変更
【補正の内容】
【０００１】
本発明は、ラッチングタイプスイッチのＯＮ／ＯＦＦ操作をトリガとして、ＯＮ／ＯＦＦするロードスイッチを用いたＤＣ電源装置に関し、特にそのラッチングタイプスイッチの操作性の改善に関するものである。
【手続補正４】
【補正対象書類名】明細書
【補正対象項目名】００１２
【補正方法】変更
【補正の内容】
【００１２】
本発明は、このような状況のもとでなされたもので、ＤＣ電圧出力部を停止してから再出力する必要がある場合でも、ＤＣ電圧出力部からのＤＣ電圧が完全にＯＦＦしたことを確認する必要もなく、また、ラッチングタイプスイッチをＯＦＦしてから、再びラッチングタイプスイッチをＯＮする間での時間も気にすることもなくロードスイッチのＯＮ／ＯＦＦ操作を行なうことができるＤＣ電源装置を提供することを課題とする。
【手続補正５】
【補正対象書類名】明細書
【補正対象項目名】００１３
【補正方法】変更
【補正の内容】
【００１３】
前記課題を解決するため、本発明では、ＤＣ電源装置を次の（１）のとおりに構成する。
【手続補正６】
【補正対象書類名】明細書
【補正対象項目名】００１４
【補正方法】変更
【補正の内容】
【００１４】
（１）ＤＣ電源の出力側に一端が接続され他端を前記ＤＣ電源の出力端に接続した第１スイッチと、
前記第１スイッチの動作を制御する第２スイッチと、
前記第２スイッチの状態を検知する検知信号が入力される入力端子と前記第１スイッチをオン状態にするオン信号を出力する出力端子とを有する制御部と、を備え、
前記制御部は、前記第２スイッチをオンすることにより前記第１スイッチがオンして前記ＤＣ電源の出力端から電圧が出力された場合に、前記出力端子からオン信号を出力して前記第１スイッチをオン状態にし、前記入力端子への検知信号により前記第２スイッチがオフされたこと検知した場合に、オフの検知から所定時間、前記第２スイッチをオンしないように制御するとともに、前記出力端子からオン信号を出力しないようにすることを特徴とするＤＣ電源装置。
【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
電源から負荷に対して電力を供給する電力供給ラインに直列に接続されたスイッチング素子と、
抵抗及びコンデンサを有し、該コンデンサの充電電圧に応じて前記スイッチング素子の動作を制御する時定数回路と、
前記負荷への電力供給の切断時に、前記時定数回路に備えられた前記コンデンサの電荷を放電する基準電圧回路と
を有することを特徴とする突入電流低減回路。
【請求項２】
前記基準電圧回路から前記時定数回路に向けて順方向となるように、前記基準電圧回路と前記時定数回路との間に接続されたダイオードを有することを特徴とする請求項１に記載の突入電流低減回路。
【請求項３】
前記基準電圧回路は、抵抗及びコンデンサで構成されたことを特徴とする請求項１又は２に記載の突入電流低減回路。
【請求項４】
前記基準電圧回路が有する前記コンデンサの容量が前記時定数回路が有する前記コンデンサの容量よりも大きいことを特徴とする請求項３に記載の突入電流低減回路。
【請求項５】
前記スイッチング素子を保護するダイオードをさらに備えたことを特徴とする請求項４に記載の突入電流低減回路。
【請求項６】
前記基準電圧回路は、抵抗及び定電圧ダイオードを有することを特徴とする請求項１又は２に記載の突入電流低減回路。
【請求項７】
前記基準電圧回路は、定電圧源であることを特徴とする請求項１又は２に記載の突入電流低減回路。
【手続補正２】
【補正対象書類名】明細書
【補正対象項目名】００１１
【補正方法】変更
【補正の内容】
【００１１】
本発明は、
電源から負荷に対して電力を供給する電力供給ラインに直列に接続されたスイッチング素子と、
抵抗及びコンデンサを有し、該コンデンサの充電電圧に応じて前記スイッチング素子の動作を制御する時定数回路と、
前記負荷への電力供給の切断時に、前記時定数回路に備えられた前記コンデンサの電荷を放電する基準電圧回路と
を有することを特徴とする突入電流低減回路を提供する。
【手続補正３】
【補正対象書類名】明細書
【補正対象項目名】発明の名称
【補正方法】変更
【補正の内容】
【発明の名称】突入電流低減回路
【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
複数の映像信号を入力して同一画面に分割表示するための映像信号を生成する映像処理装置において、
前記各映像信号に対し該映像信号を識別する識別情報を付加する識別情報付加部と、
該識別情報付加部で付加した識別情報を記憶する識別情報記憶部と、
前記識別情報が付加された各映像信号を時分割信号に変換する時分割処理部と、
前記時分割信号から各映像信号に付加されている識別情報を検出する識別情報検出部と、
前記識別情報記憶部で記憶した識別情報と前記識別情報検出部で検出した識別情報とを比較する識別情報比較部と、
前記時分割信号を表示する分割画面の大きさに拡大または縮小する拡大縮小部と、
前記検出した識別情報に基づいて、前記拡大または縮小された各映像信号を所定の位置に分割表示するための映像信号を合成する映像合成部とを備え、
前記識別情報比較部で比較の結果、両者の識別情報が一致しないと判定した場合は、前記入力した映像信号の再要求、あるいは当該装置の再起動を行うことを特徴とする映像処理装置。
【請求項２】
請求項１に記載の映像処理装置において、
前記識別情報付加部は、前記各映像信号に対し該映像信号のフレーム単位、あるいはフィールド単位で前記識別情報を付加することを特徴とする映像処理装置。
【請求項３】
請求項１または２に記載の映像処理装置において、
前記識別情報比較部は、前記時分割信号に含まれる各映像信号が一巡する期間を単位に、前記識別情報検出部で検出した識別情報と、前記識別情報記憶部に記憶した識別情報の比較を行い、一致するかどうかを判定することを特徴とする映像処理装置。
【請求項４】
請求項１乃至３のいずれか１項に記載の映像処理装置において、
前記各映像信号に関連する関連情報を、該映像信号の識別情報に対応させて登録したメモリを備え、
前記映像合成部は映像信号を合成する際、前記メモリを参照し前記識別情報に対応する関連情報を取得して該当する映像信号に重畳することを特徴とする映像処理装置。
【請求項５】
請求項１乃至４のいずれか１項に記載の映像処理装置において、
前記映像合成部は、前記関連情報として前記識別情報を該当する映像信号に重畳することを特徴とする映像処理装置。